(57)【要約】【課題】  粉塵の飛散を効率的に抑制するとともに、作業効率を低下させたり作業環境や周辺環境を悪化させることのない粉塵抑制方法の提供。【解決手段】投射ノズル１３，２１，３５，４５により起泡剤溶液を投射し、これを粉塵発生部位に衝突させて気泡を生成させる粉塵抑制方法。【選択図】  図２
2006257747.tif 000002
【特許請求の範囲】
【請求項１】
投射ノズルにより起泡剤溶液を投射し、これを粉塵発生部位に衝突させて気泡を生成させることを特徴とする粉塵抑制方法。
【請求項２】
上記投射ノズルが、任意の方向に起泡剤溶液の投射を行えるようにしてマニュピレータに支持されていることを特徴とする請求項１記載の粉塵抑制方法。
【請求項３】
上記投射ノズルが、任意の方向に起泡剤溶液の投射を行えるようにして破壊機械に取り付けられていることを特徴とする請求項１記載の粉塵抑制方法。
【請求項４】
上記投射ノズルが、任意の方向に起泡剤溶液の投射を行えるようにしてトンネル掘削機に取り付けられていることを特徴とする請求項１記載の粉塵抑制方法。
【請求項５】
生成した上記気泡の発泡倍率が1.5〜10倍程度であることを特徴とする請求項１，２，３または４記載の粉塵抑制方法。
【請求項６】
上記起泡剤溶液が起泡剤を0.1〜１％程度に希釈したものであることを特徴とする請求項１，２，３，４または５記載の粉塵抑制方法。
【請求項７】
上記起泡剤が界面活性剤であることを特徴とする請求項６記載の粉塵抑制方法。
【発明の詳細な説明】
【技術分野】
【０００１】
本発明は、建設工事現場や土木工事現場で行われるコンクリート塊の破砕作業等において発生する粉塵の飛散を抑制する方法に関する。
【背景技術】
【０００２】
コンクリート構造物の解体作業現場でのコンクリート塊の破砕作業や、トンネル掘削現場での岩塊の機械掘削作業の際には、多量の粉塵が飛散して作業環境および工事現場の周辺環境を悪化させ、特に、焼却施設等の解体作業において発生する粉塵は、ダイオキシン類等の有害物質を含むこともあるので、従来より、粉塵の発生する部位の周辺に散水して、粉塵の飛散を抑制することが行われていた。
【０００３】
しかし、この方法では、多量の水が必要となるため水道料金コストが上昇し、また、多量の濁水が発生するので路盤が泥濘化してしまうとか濁水処理設備が必要になり、しかも、粉塵の飛散を十分に抑えることができずある程度の粉塵の飛散は避けることができないという問題があった。
【０００４】
このような問題を改善するものとして、図８に示すように、側面に空気取り入れ口１を開口させた円筒状の投射管本体部２の先端開口を塞ぐようにしてスクリーン積層体３を装着するとともに、その投射管本体部２の後端にスプレーノズル４を取り付けてなる粉塵抑制装置５を用いて気泡を投射する粉塵抑制方法が知られている（特許文献１）。
【０００５】
上記粉塵抑制装置５は、上記スプレーノズル４から噴出させた起泡剤溶液を、上記空気取り入れ口１から取り入れた空気とともに上記スクリーン積層体３を通過させることで気泡を生成し、この気泡を前方に投射するように構成されているもので、この粉塵抑制装置５を用いて行う粉塵抑制方法は、ブレーカによるコンクリート塊の破砕作業等の際に、気泡を投射して粉塵発生部位を被覆することにより、粉塵を捕捉してその飛散を抑制するものである。
【特許文献１】特開2004-353218号公報
【発明の開示】
【発明が解決しようとする課題】
【０００６】
しかしながら、上記粉塵抑制装置５により生成される気泡の発泡倍率（生成した気泡の起泡剤溶液に対する体積比）は100〜150倍程度にもなるので（特許文献１段落0006参照）、これを投射すると粉塵発生部位周辺が気泡により過度に被覆され、かえってその部位が視認しづらくなり、したがって、正確な位置へ上記粉塵抑制装置５を向けて気泡を投射することが難しかったり、また、コンクリート塊を破砕するブレーカロッドの先端の視認が困難になるためその操作も難しくなり、作業効率が低下するという問題がある。
【０００７】
また、その気泡は発泡倍率が高く流動性が低いものであるから、破砕対象物に衝突してもその表面に速やかに広がりにくく、また、破砕対象物の亀裂内部へ速やかに浸透（湿潤）しないので、発生する粉塵を十分に捕捉しきれなかった。
【０００８】
しかも、その投射される気泡は、投射の過程で風により周囲に飛散しやすいし、また、粉塵発生部位に到達した後も暫く消滅しないものであるため、粉塵発生部位を被覆し粉塵を捕捉した気泡が風によって飛散しやすい。
したがって、飛散した気泡が作業員の皮膚に付着するとか、近隣住民の洗濯物に付着するなど作業環境や周辺環境を悪化させるおそれもある。
【０００９】
そこで本発明は、粉塵の飛散を効率的に抑制するとともに、作業効率を低下させたり作業環境や周辺環境を悪化させることのない粉塵抑制方法を提供することを課題とする。
【課題を解決するための手段】
【００１０】
請求項１記載の本発明粉塵抑制方法は、投射ノズル１３，２１，３５，４５により起泡剤溶液を投射し、これを粉塵発生部位に衝突させて気泡を生成させるものである。
【００１１】
請求項２記載の本発明は、上記投射ノズル２１が、任意の方向に起泡剤溶液の投射を行えるようにしてマニュピレータ２２に支持されている請求項１記載の粉塵抑制方法である。
【００１２】
請求項３記載の本発明は、上記投射ノズル３５，４５が、任意の方向に起泡剤溶液の投射を行えるようにして破壊機械に取り付けられている請求項１記載の粉塵抑制方法である。
【００１３】
請求項４記載の本発明は、上記投射ノズルが、任意の方向に起泡剤溶液の投射を行えるようにしてトンネル掘削機に取り付けられている請求項１記載の粉塵抑制方法である。
【００１４】
請求項５記載の本発明は、生成した上記気泡の発泡倍率が1.5〜10倍程度である請求項１，２，３または４記載の粉塵抑制方法である。
【００１５】
請求項６記載の本発明は、上記起泡剤溶液が起泡剤を0.1〜１％程度に希釈したものである請求項１，２，３，４または５記載の粉塵抑制方法である。
【００１６】
請求項７記載の本発明は、上記起泡剤が界面活性剤である請求項６記載の粉塵抑制方法である。
【発明の効果】
【００１７】
本発明粉塵抑制方法によれば、粉塵の飛散を効率的に抑制することができ、また、作業効率を低下させたり作業環境や周辺環境を悪化させることがない。
【発明を実施するための最良の形態】
【００１８】
投射ノズル１３，２１，３５，４５により起泡剤溶液を投射し、これを粉塵発生部位に衝突させて気泡を生成させる粉塵抑制方法。
【実施例１】
【００１９】
まず、本発明の実施例１に係る粉塵抑制方法について図１，２を参照しながら詳しく説明する。
【００２０】
１０は、起泡剤溶液を収納する溶液タンク１１と、その起泡剤溶液を圧送供給する高圧洗浄機等の高圧ポンプ１２と、この高圧ポンプ１２に給電する配電盤とを筐体１０’に収納するとともに、この筐体１０’に取り付けた車輪１０”により移動可能になっているポンプユニットである。
上記高圧ポンプ１２は、上記起泡剤溶液を、たとえば4.9MPaの圧力で、１分あたり31リットル圧送供給する能力を有するものである。
【００２１】
１３は、一般的に高圧洗浄機に付属している、噴射口の開口径がたとえば２mmの手持ち式投射ノズルで、上記高圧ポンプ１２から溶液タンク１１内の起泡剤溶液の供給を受けこれを投射するものである。
【００２２】
上記起泡剤溶液は、界面活性剤（起泡剤）に多量の水を加え、これを0.1〜１％程度、好ましくは0.1〜0.5%に希釈したものである。
この起泡剤溶液は、湿潤（浸透）作用・分散作用・起泡作用・乳化作用・洗浄作用等、界面活性剤としての各種の作用を奏するもので、また、生分解性が高く残留による環境への影響が少ないものである。
【００２３】
本実施例の粉塵抑制方法は、コンクリート構造物の解体工事において、ブレーカロッド１４を備えた破壊機械１５でコンクリート塊１６の破砕作業を行う際等に、作業員１７によって次のようにして行われる（図１，２）。
【００２４】
すなわち、上記投射ノズル１３を、粉塵が発生する部位、より具体的にはコンクリート塊１６の上記ブレーカロッド１４の先端が当接する部位に向け、この投射ノズル１３から上記起泡剤溶液を、当該投射ノズル１３内で空気と混合させることなく溶液状態のままで投射する。
【００２５】
投射ノズル１３から投射された上記起泡剤溶液１８は、気泡を生成しない溶液状態のままコンクリート塊１６の粉塵発生部位に到達して、当該コンクリート塊１６の表面を効率的に湿潤させながら流下するとともに亀裂１９の内部等にも効率的に浸透し、粉塵発生部位周辺を直ちに被覆する（図２）。
【００２６】
このとき、コンクリート塊１６の表面に衝突してで跳ね返った一部の起泡剤溶液は投射されてくる起泡剤溶液１８の流れと再び衝突することにより空気と強制的に混合され気泡１８’を生成する。
この気泡１８’は、発泡倍率が1.5〜10倍程度で、従来の発泡倍率100〜150倍の気泡に比べ低発泡倍率で体積が小さく流動性の高いものである。また、その気泡径は１mm以内である。
【００２７】
上記のようにして生成した気泡１８’は、投射されてくる上記起泡剤溶液１８の流れに乗ってコンクリート塊１６に到達し、その表面を効率的に覆いながら流下するとともに亀裂１９の内部等へも効率的に浸透して、その粉塵発生部位周辺を直ちに被覆する。
【００２８】
粉塵発生部位周辺を被覆した上記起泡剤溶液１８およびその起泡剤溶液の気泡１８’は、ブレーカロッド１４の打撃により発生する粉塵を直ちに界面吸着するとともにその中に分散させて捕捉するので、粉塵の周囲への飛散が効率的に抑制される。
【００２９】
この粉塵抑制方法では、従来の方法よりも発泡倍率の低い気泡を用いているから、従来のように粉塵発生部位が気泡によって過度に被覆されてしまうことがなく、コンクリート塊１６の形状や、粉塵発生部位、また、ブレーカロッド１４の先端の視認性が良く、作業効率を低下させることがない。
【００３０】
また、気泡を予め生成してこれを粉塵発生部位へ投射するのではなく、起泡剤溶液を気泡を生成していない状態のまま粉塵発生部位へ到達させるので、到達前に風により飛散してしまうことが起こりにくい。
【００３１】
さらに、上記気泡１８’は、一旦粉塵発生部位に到達して粉塵を捕捉した気泡は短時間で速やかに消滅するので、従来のように粉塵発生部位を被覆している気泡が風により飛散してしまうことが起こりにくい。
したがって、従来のように作業環境や周辺環境を悪化させない。
【００３２】
なお、粉塵を抑制するのに必要な量の気泡１８’を安定的に生成させるために、起泡剤溶液の投射距離に応じて、起泡剤の希釈率、高圧ポンプ１２の圧力・吐出量、投射ノズル１３の開口径等を適宜調整するのが好ましい。
上記のようなブレーカロッド１４によるコンクリート塊１６の破砕作業では、気泡１８’の発泡倍率が1.5〜３倍程度になるように調整するのが最も好ましく、その場合、投射距離が１〜４ｍであれば起泡剤溶液の希釈率を0.2％程度、４〜７ｍであれば0.4％程度とし、また、溶液投射は30MPa以上の圧力で１分あたり10〜30リットル程度行うのが最適である。
【００３３】
従来行われていたように散水により粉塵を抑制する場合、たとえばコンクリート塊から3m程度の距離より散水する場合には１分あたり50リットル以上の水が必要となってしまう一方で、特にコンクリート塊の亀裂の内部へは水が直ちに浸透しないため、そこから発生する粉塵を効率的に捕捉することができず、これが飛散してしまう状況がたびたびみられたが、これに比べると、本発明の粉塵抑制方法は、使用する水量（起泡剤溶液量）が上記の通り少なくなるので、水道使用料を低減しつつ簡易な散水機器で実施できるとともに、排水処理量を減らしてコストを大幅に低減することができ、しかも、亀裂１９の内部から発生する粉塵も十分捕捉するので粉塵抑制の効率が高い。
【００３４】
また、起泡剤溶液は界面活性剤であるから、コンクリート塊１６に油等の汚れが付着しており散水によっては効率的に湿潤させることができない場合でも、粉塵発生部位周辺を効率的に湿潤させ粉塵の飛散を防止することができる。
【００３５】
本発明粉塵抑制方法は、上記のようなブレーカロッド、あるいはコンクリート破壊機等を備えた破壊機械によるコンクリート塊の破砕作業の際だけでなく、掘削工事におけるツインヘッダやブレーカによる掘削作業、自由断面トンネル掘削機による掘削作業その他の作業の際に飛散する粉塵の抑制を同様にして、すなわち起泡剤溶液を投射し、これを粉塵発生部位に衝突させて気泡を生成することによって、粉塵の飛散を効率的に抑制することができる。
なお、粉塵発生部位が広範囲となる場合には、起泡剤溶液をシャワー状に投射する投射ノズルを用いるのが好ましい。
【実施例２】
【００３６】
次に、本発明の実施例２に係る粉塵抑制方法について図３，４を参照しながら説明する。
本実施例の粉塵抑制方法に用いる起泡剤溶液は上記実施例１と同じものであり、また、その起泡剤溶液を投射し、これを粉塵発生部位に衝突させて気泡を生成させることも上記実施例１と同じであるから、以下には主に上記実施例１と相違する点について説明する。
【００３７】
２０は、実施例１のポンプユニット１０と同一のポンプユニットである（同一箇所に同一符号を付した）。
【００３８】
２１は、上記ポンプユニット２０の高圧ポンプ１２から溶液タンク１１内の起泡剤溶液の供給を受けこれを投射する投射ノズルで、これはマニュピレータ２２のスライダ２３に取り付けられたノズル支持枠２４に支持されている。
【００３９】
上記マニュピレータ２２は、起立軸２５に対して上下動および左右回動可能な上記スライダ２３を備えるとともに、そのスライダ２３に、シリンダ２６の伸縮により当該スライダ２３に対し上下に起伏する上記ノズル支持枠２４を備えているものである。
【００４０】
上記投射ノズル２１およびマニュピレータ２２の上記スライダ２３およびシリンダ２６は、コントローラ２７によって無線または有線で操作されるようになっており、これを適宜操作することで、上記投射ノズル２１の向きを任意の方向に向けつつ、当該投射ノズル２１からの起泡剤溶液の投射を行えるようになっている。
【００４１】
本実施例の粉塵抑制方法は、破壊機械２８によるコンクリート塊２９の破砕作業の際に、その破砕作業を行う場所の近傍に上記ポンプユニット２０とマニュピレータ２２を配置するとともに、作業員が上記コントローラ２７によって、上記投射ノズル２１およびマニュピレータ２２を操作して粉塵発生部位に起泡剤溶液を投射するものである。
【００４２】
この粉塵抑制方法によれば、作業員は、破壊機械２８の近傍で自ら投射ノズルを把持してこれを操作する必要がなく、離れた箇所からコントローラ２７を操作して起泡剤溶液の投射を行えるから、破砕作業や掘削作業の事故防止に好ましい。
【実施例３】
【００４３】
続いて、本発明の実施例３に係る粉塵抑制方法について図５，６を参照しながら説明する。
本実施例は、実施例２においてマニュピレータに取り付けられていた投射ノズルが、破壊機械に取り付けられている点においてその実施例２と異なるだけであるので、その相違する点についてのみ説明する。
【００４４】
３０はブーム３１の先端にブレーカロッド３２を備えた破壊機械である。そのブーム３１は、破壊機械本体３３に対して起伏可能に取り付けられた基端ブーム３１ａと、その基端ブーム３１ａの先端に、これ対して起伏可能に取り付けられた中間ブーム３１ｂと、その中間ブーム３１ｂの先端に、これ対して起伏可能に取り付けられた先端ブーム３１ｃからなるもので、その基端ブーム３１ａの先端付近の左右両側には、シリンダ３４の伸縮等により上下および左右に回動可能にした投射ノズル３５，３５を取り付けてある。
【００４５】
この投射ノズル３５，３５は当該破壊機械３０の運転席より操作され、任意の方向に向けつつ起泡剤溶液を投射できるようになっている。
【００４６】
３６は、上記破壊機械３０の近傍に配置された、上記実施例１のポンプユニット１０と同一のポンプユニットであり、これは、上記投射ノズル３５，３５に、溶液供給管３７を通じて起泡剤溶液を圧送供給するようになっている。
【００４７】
本実施例の粉塵抑制方法は、上記破壊機械３０のブレーカロッド３２によるコンクリート塊３７の破砕作業の際に、上記投射ノズル３５，３５を操作して粉塵発生部位に起泡剤溶液を投射するものである。
【００４８】
この粉塵抑制方法によれば、破壊機械３０の運転者が破砕作業と同時に粉塵抑制のための投射ノズル３５，３５の操作をも行える。
しかも、２つの投射ノズル３５，３５により起泡剤溶液を投射できるから、粉塵が広い範囲で発生するような場合にもその飛散を効果的に抑制することができる。
なお、投射ノズルを１つのみまたは３つ以上取り付けるようにしてもよい。
【００４９】
ここでは、起泡剤溶液を投射する投射ノズルを取り付けた破壊機械により行う粉塵抑制方法について説明したが、同様にして起泡剤溶液を投射する投射ノズルを取り付けたトンネル掘削機等により粉塵の飛散の抑制を行うことも可能である。
【実施例４】
【００５０】
最後に、本発明の実施例４に係る粉塵抑制方法について図７を参照しながら説明する。
この粉塵抑制方法は、実施例３とは、その方法の実施に使用する破壊機械に対する投射ノズル取り付け位置が違う点、および、その破壊機械がポンプユニットを搭載している点において異なるだけであるので、その相違する点についてのみ説明する。
【００５１】
４０はブーム４１の先端にブレーカロッド４２を備えた破壊機械である。
この破壊機械４０は、その破壊機械本体４３の前部に、シリンダ４４の伸縮等により上下および左右に回動可能にした投射ノズル４５を取り付けているとともに、その破壊機械本体４３の後部には、起泡剤溶液を収納する溶液タンクやその起泡剤溶液を上記投射ノズル４５へ圧送供給する高圧ポンプ等からなるポンプユニット４６を取り付け固定してある。
そして、上記投射ノズル４５による起泡剤溶液の投射は運転席からの操作により任意の方向に向けて行えるようになっている。
【００５２】
この破壊機械４０は、上記実施例３の破壊機械３０と異なり、ポンプユニット４６を取り付け固定してあるので、作業場所を移動して粉塵の抑制を行う必要がある場合等にポンプユニットを別途運搬する必要がない。
【図面の簡単な説明】
【００５３】
【図１】本発明の実施例１に係る粉塵抑制方法の説明図である。
【図２】粉塵発生部位の拡大図である。
【図３】本発明の実施例２に係る粉塵抑制方法の説明図である。
【図４】図３のマニュピレータの要部拡大側面図である。
【図５】本発明の実施例３に係る粉塵抑制方法の説明図である。
【図６】図５の破壊機械の要部を示した平面図である。
【図７】本発明の実施例４に係る粉塵抑制方法の説明図である。
【図８】従来の粉塵抑制装置の縦断面図である。
【符号の説明】
【００５４】
１０，２０，３６，４６      ポンプユニット 
１３，２１，３５，４５      投射ノズル
１４，３２，４２            ブレーカロッド
１５，２８，３０，４０      破壊機械
１６，２９，３７            コンクリート塊
２２                        マニュピレータ
【図１】
2006257747.tif 000003
【図２】
2006257747.tif 000004
【図３】
2006257747.tif 000005
【図４】
2006257747.tif 000006
【図５】
2006257747.tif 000007
【図６】
2006257747.tif 000008
【図７】
2006257747.tif 000009
【図８】
2006257747.tif 000010